(57)【特許請求の範囲】
【請求項１】
油圧ポンプと、前記油圧ポンプを駆動して油圧アクチュエータに作動流体を供給する電気モーターと、を備え、
前記油圧ポンプは、作動流体の入口及び出口と、前記入口と前記出口の間に配置された能動的な流体流路と、を備え、前記油圧ポンプが前記電気モーターによって駆動されている能動動作モード時に、作動流体が能動的に前記入口から吸入されるとともに前記出口から吐出され、
前記油圧ポンプは、モーターシャフトによって回転駆動されるポンプバレルと、前記ポンプバレルに設けられ、前記油圧ポンプの入口と出口の間に配置されたバイパス流路と、をさらに備え、減衰動作モード時に、作動流体が前記入口と前記出口の間を両方向に自由に流れることが可能となっており、
前記電気モーターは、前記モーターシャフトに設けられた中空芯内で移動するように配置された可動部材を備え、前記能動動作モード時において前記油圧ポンプを駆動するように前記電気モーターが励磁されているときに、前記可動部材が、前記バイパス流路を閉塞するように機能する閉塞位置となり、前記減衰動作モード時において前記電気モーターが励磁されていないときに、前記可動部材が前記モーターシャフトの前記中空芯内で移動して前記バイパス流路を開放する、電気静油圧アクチュエータ。
【請求項２】
前記可動部材は、前記電気モーター内で軸方向に移動して前記バイパス流路を開放するように配置されている、請求項１に記載の電気静油圧アクチュエータ。
【請求項３】
前記油圧ポンプが前記電気モーターによって駆動されていないときに、前記可動部材を自動的に移動させて前記バイパス流路を開放する、請求項１または請求項２に記載の電気静油圧アクチュエータ。
【請求項４】
前記油圧ポンプは、前記可動部材を移動させることにより、前記油圧ポンプが前記電気モーターによって駆動されていないときに前記バイパス流路を開放するように配置された弾性部材を備える、請求項３に記載の電気静油圧アクチュエータ。
【請求項５】
前記電気モーターは、前記可動部材を前記閉塞位置に保持する電磁石機構を備える、請求項１〜請求項４のいずれか一項に記載の電気静油圧アクチュエータ。
【請求項６】
前記電磁石機構は、前記可動部材を磁化するように配置された１つまたは複数の追加コイルを備える、請求項５に記載の電気静油圧アクチュエータ。
【請求項７】
前記バイパス流路の大きさは、前記油圧ポンプの使用中、所望の減衰率を前記油圧アクチュエータに与えるように調節される、請求項１〜請求項６のいずれか一項に記載の電気静油圧アクチュエータ。
【請求項８】
前記電気モーターは、前記可動部材が移動して前記バイパス流路を開放するときに前記可動部材の位置を制限するように配置されたピンを備える、請求項７に記載の電気静油圧アクチュエータ。
【請求項９】
前記可動部材の移動を検出して前記バイパス流路が開いているかどうかを判定するように配置されたセンサを備える、請求項１〜請求項８のいずれか一項に記載の電気静油圧アクチュエータ。
【請求項１０】
前記油圧ポンプは、往復運動するピストンを受けるように前記ポンプバレル内に配置された複数の軸流シリンダを備える回転ピストンポンプであり、前記入口は、前記ポンプバレルの一方の半部に設けられた前記軸流シリンダと流体連通しており、前記出口は、前記ポンプバレルの他方の半部に設けられた前記軸流シリンダと流体連通している、請求項１〜請求項９のいずれか一項に記載の電気静油圧アクチュエータ。
【請求項１１】
前記バイパス流路は、前記減衰動作モード時に前記ポンプバレルの一方の半部に設けられた軸流シリンダに接続された前記入口と、前記ポンプバレルの他方の半部に設けられた前記軸流シリンダに接続された前記出口と、の間に直接的な流路を提供する１つまたは複数の接続ポートを前記ポンプバレル内に含み、前記可動部材は、前記能動動作モード時に前記接続ポートを通る流体の流れを閉塞する位置となるように前記モーターシャフト内に配置されている、請求項１０に記載の電気静油圧アクチュエータ。
【請求項１２】
油圧ポンプと、前記油圧ポンプを駆動して油圧アクチュエータに作動流体を供給する電気モーターと、を備えた前記油圧アクチュエータの制御・減衰方法であって、前記油圧ポンプが、中空芯を有したモーターシャフトによって回転駆動されるポンプバレルを備える、前記油圧アクチュエータの制御・減衰方法において、
能動動作モード時に、前記油圧アクチュエータに作動流体を供給するために前記電気モーターを励磁して前記油圧ポンプを駆動すること、及び
減衰動作モード時において前記油圧ポンプが前記電気モーターによって駆動されていないときに前記ポンプバレルにおいてバイパス流路を開放するように、前記モーターシャフトの前記中空芯内に配置された可動部材の移動を制御すること、
を含む方法。
【請求項１３】
前記可動部材の移動を制御することは、前記可動部材を磁化するように配置された１つまたは複数の追加コイルを励磁することを含む、請求項１２に記載の方法。
【請求項１４】
前記油圧ポンプの使用中、所望の減衰率を前記油圧アクチュエータに与えるように前記バイパス流路の大きさを調節することを含む、請求項１２または請求項１３に記載の方法。
【請求項１５】
前記バイパス流路の大きさを調節することは、前記可動部材が移動して前記バイパス流路を開放するときに前記可動部材の位置を制限するように配置されているピンを調節することを含む、請求項１４に記載の方法。
【発明の詳細な説明】
【技術分野】
【０００１】
本開示は、電気静油圧アクチュエータに関し、特に、油圧アクチュエータの圧力・流量制御を行うために電動モーターポンプアセンブリを備える電気静油圧アクチュエータに関する。
【背景技術】
【０００２】
電気静油圧アクチュエータ（ＥＨＡ）は、独立型のアクチュエータとして動作するものであり、それ自体の電動モーターポンプアセンブリによって制御され、それによって独立した油圧ポンプが不要となる。航空宇宙用途では、ＥＨＡは通常、制御電子回路によって作動されるフライバイワイヤ（ＦＢＷ）式の装置である。ＥＨＡの油圧アクチュエータは、航空機翼上の操縦フラップなどの空気力学的表面を移動させるために使用され得る。ＥＨＡは、例えば、ランディングギヤの伸縮、操縦、ブレーキ及び流量制御を含む各種操作のために、航空機における従来の油圧アクチュエータシステムに置き換わる場合がある。
【０００３】
特に、航空機操作の構成要素を制御するのにＥＨＡを用いるときには、発電が停止し、あるいは制御パスの電子回路が故障した場合に冗長性を持たせることが重要である。例えば、特許文献１に見られるように、ＥＨＡがフェイルセーフ油圧回路を備えるようにすることが従来提案されている。このフェイルセーフ油圧回路は、油圧アクチュエータのジャッキ室とソレノイド「モード」バルブとの間の連通を可能にする別の作動油経路を備えており、このバルブにより、例えば、停電した緊急状態において、別の作動油経路を接続するように切り替えることができ、電動油圧ポンプの外側を作動油が迂回して流れることが可能となる。かかる緊急状態では、油圧アクチュエータは、依然として、その空気力学的表面に減衰力を与えることが可能である。この減衰効果は、油圧回路内の別のソレノイドバルブによってオンまたはオフに切り替えられる。
【先行技術文献】
【特許文献】
【０００４】
【特許文献１】米国特許出願公開第２０１３／００６７８９８号明細書
【発明の概要】
【発明が解決しようとする課題】
【０００５】
本開示は、電気静油圧アクチュエータに改善を施すことを図るものである。
【課題を解決するための手段】
【０００６】
本開示の態様によれば、電気静油圧アクチュエータ（ＥＨＡ）が提供される。この電気静油圧アクチュエータは、油圧ポンプと、油圧ポンプを駆動して油圧アクチュエータに作動流体を供給する電気モーターと；作動流体の入口及び出口、並びに入口と出口の間に配置された能動的な流体流路を備える油圧ポンプであって、油圧ポンプが電気モーターによって駆動されている能動動作モード時に、作動流体が能動的に入口から吸入され、出口から吐出されるようにする油圧ポンプと；油圧ポンプの入口と出口の間に配置されたバイパス流路をさらに備える油圧ポンプであって、減衰動作モード時に、作動流体が入口と出口の間を両方向に自由に流れることを可能にする油圧ポンプと；電気モーター内で移動するように配置された可動部材を備える電気モーターであって、能動動作モード時には、油圧ポンプを駆動するように電気モーターが励磁されているときに、可動部材が、バイパス流路を閉塞するように機能する閉塞位置となり、減衰動作モード時には、電気モーターが励磁されていないときに、可動部材が電気モーター内で移動してバイパス流路を開放する電気モーターと、を備える。
【０００７】
能動動作モードでは、油圧ポンプが電気モーターによって駆動されているときに、ＥＨＡは、油圧アクチュエータの圧力・流量制御を行う油圧ポンプと共に正常に作動する。例えば、電気モーターが励磁されていないときには（例えば、停電が発生し、またはＥＨＡの制御電子回路が故障した場合には）、バイパス流路によって作動流体が油圧ポンプを通過するようにして、油圧アクチュエータの減衰効果を実現することができる。これにより、油圧アクチュエータを能動的に連動させる必要のないときにデフォルトモードも提供される。油圧ポンプの入口と出口の間のバイパス流路を開放することにより、油圧ポンプと油圧アクチュエータの間の油圧回路に別のソレノイド「モード」バルブが必要となる代わりに、減衰動作モードがポンプに組み込まれる。これにより、装置を包絡線的に減衰させることが可能となるのみならず、ＥＨＡ内の構成要素の数が削減される。例えば、ＥＨＡには、自らの電源及び制御電子回路を備えた別のソレノイドモードバルブ、並びにアンチキャビテーションバルブがもはや不要となり得る。従って、油圧マニホールドに必要な関連流路は、ＥＨＡのコスト及び重量の削減を伴って取り除かれる。さらに、かかるＥＨＡでは、油圧ポンプモーターアセンブリに減衰制御が組み込まれるため、信頼性が向上し得る。
【０００８】
油圧ポンプは、識別可能な入口及び出口を任意の時点で有するように記載されているものの、入口及び出口を提供する１つまたは複数の物理ポートは経時的に変わり得ることが理解されよう。記載されたポンプは、通常、油圧アクチュエータと流体連通している複数のポートを備える。任意の一時点において、これらのポートの１つまたは複数が入口として機能してもよく、これらのポートの１つまたは複数が出口として機能してもよい。かかるポート、すなわち入口及び出口は、通常、ポンプの基部に取り付けられているポートプレートによって提供される。回転ポンプの場合、モーターの回転方向が逆転すると、逆方向に作動流体を供給するようにポンプが作動し、入口と出口が入れ替わる場合がある。さらに、能動的な流路及びバイパス流路に関して入口及び出口のみを開示しているが、ポンプは、例えば、他の流路を提供する１つまたは複数の別の入口及び／または出口を備え得ることが可能である。例えば、非対称ポンプの場合、アキュムレータへの流体の流れを促進するために別の出口が存在し得る。
【０００９】
モーター内で移動するように配置された可動部材を回転自在に移動するように配置して、減衰動作モード時にバイパス流路を開放するようにしてもよい。しかしながら、好ましい一連の実施例では、可動部材は、モーター内で軸方向に移動してバイパス流路を開放するように配置されている。従って、可動部材は、閉塞位置との間で軸方向に移動し得る。
【００１０】
可動部材がモーター内で軸方向に移動するように配置された実施例では、可動部材の軸方向移動はモーターの軸に沿うものと考えられる。モーターの軸は、通常、モーターシャフトがここを中心に回転する軸として定められる。モーターシャフトは、モーターの構成要素であり、このモーターは通常、能動モード時にポンプを駆動する。
【００１１】
モーターは、能動動作モード時にバイパス流路を閉塞する任意の適切な可動部材を備え得る。好ましい一連の実施例では、可動部材は細長い棒である。かかる細長い棒は、モーターシャフトを通ってポンプにまで、主モーターのハウジングから伸びてもよく、このハウジングには通常、モーターを駆動するコイルが収納される。細長い棒は、例えば、モーターシャフトの中空芯を貫通して油圧ポンプに達し得る。さらに好ましい一連の実施例では、細長い棒はさらに、バイパス流路に近接した末端にて、バイパス流路を閉塞するように形成された端部を備える。この端部は、例えば、バイパス流路を閉塞するように設計されたディスク形状部で構成されてもよい。バイパス流路を閉塞する細長い棒を使用することは有利である。というのも、この細長い棒は、バイパス流路を制御するための簡単な機構となるためである。かかる細長い棒を、閉塞位置との間で回転させてもよく、あるいは軸方向に移動させてもよい。
【００１２】
ＥＨＡは、電気モーターが励磁されているときにバイパス流路を閉塞するように可動部材を配置する任意の適切な機構を備え得る。電気モーターは、可動部材を閉塞位置に保持する電磁石機構を備え得る。通常、電気モーターは、モーターシャフトの周囲に電機子を形成するコイルを備える。一連の実施例では、この電磁石機構は、可動部材を励磁するように配置された１つまたは複数の追加コイルを備える。かかる一連の実施例では、モーターが励磁されているとき、これらの追加コイルに近接した可動部材の一部が励磁される。モーターは、好ましくは、１つまたは複数の固定された強磁性部を備えており、その結果、磁化された可動部材がこの強磁性部に引き寄せられる。これにより、バイパス流路を閉塞するように可動部材が閉塞位置に保持される。さらに好ましい一連の実施例では、追加コイルに近接した可動部材の端部が、磁化材料の最大領域となるように形成される。追加コイルが励磁されているときには、上記により、可動部材がその閉塞位置に確実に保持されることが保証される。好ましい一連の実施例では、可動部材の保持に用いられる追加コイルの数は、モーターの駆動に用いられるコイルの数と同じである。しかしながら、モーターの駆動に３つの主コイルが用いられる場合でも、追加コイルは２つで足り得ることが分かっている。
【００１３】
追加コイルは、主モーターコイル（例えば、モーターシャフトの周囲に電機子を形成するコイル）と直列または並列に接続され得る。ＥＨＡに追加コイルを設けて可動部材を励磁する実施例では、各追加コイルは、好ましくは、主モーターコイルの１つと直列に接続される。これにより、例えば、追加コイルの堅牢性に対する信頼が万一不足している場合に、フェイルセーフが提供される。というのも、追加コイルの１つに障害が発生すると主モーターの励磁回路が遮断されるためである。しかしながら、いくつかの実施例では、追加コイルを主モーターコイルと並列に接続してもよいことが理解される。これにより、追加コイルのうちの１つの障害によって開放回路が生じるリスクを軽減することができる。加えて、またはあるいは、いくつかの実施例では、追加コイルは、主モーターコイルと電源を共有してもよい。これは、電磁石機構がモーターと同時に自動的に励磁されること（例えば、モーターが励磁されるときには常に、電磁石機構によって可動部材がその閉塞位置に保持され得ること）を意味する。他の実施例では、追加コイルは、それ自体の独立電源を備えてもよい。例えば、追加コイルを作動させるために同じ交流電源を用いる際の安定性に対する信頼が低い場合に、この手法をとる場合がある。さらに、これは、例えば、主モーターコイルの停電が発生した場合に、可動部材の移動を独立に制御することが可能となり得ることを意味する。かかる実施例では、１つの追加コイルで十分となり得る。ただし、その追加コイルには、独立電源への配線を追加する必要がある。
【００１４】
一連の実施例では、ポンプが能動動作モードであるときに可動部材は回転しない。別の一連の実施例では、可動部材は、能動動作モード時にモーターシャフトと共に回転する。可動部材を回転させることにより、ポンプの製造がより簡単となり得る。というのも、これは、可動部材とモーターシャフトなどのモーターの回転部品との間にベアリングが必要ないことを意味するためである。
【００１５】
前述のように、例えば、モーターが励磁されていないときには、バイパス流路が開放される。勿論、バイパス流路は、ポンプが電気モーターによって駆動されていないときにのみ完全に形成される流路の形態をとってもよい。あるいは、バイパス流路は、常にポンプの中に存在するものの、電気モーターが励磁されていないときには、単に、閉塞が解除される、遮蔽されない、アクセスが可能であるといった流路の形態をとってもよい。電気モーターがオフになったとき、あるいは停電があったときには、制御電子回路は、バイパス流路の開放を実施することができる。しかしながら、これには、かかる制御電子回路用の予備電源が必要となる可能性がある。電気モーターが励磁されていないときには、可動部材が自動的に移動してバイパス流路を開放することが好ましい。これにより、ポンプの外部のソレノイドバルブが不要となるのみならず、減衰動作モードを制御するためのフェイルセーフ電源も不要となる。むしろ、電気モーターが作動していないときには常に、減衰動作モードがデフォルトモードとしてポンプによって自動的に提供される。
【００１６】
ＥＨＡは、電気モーターが励磁されていないときに可動部材を自動的に移動させる任意の適切な機構を備え得る。例えば、弾性部材は、バイパス流路の閉塞を解除する、またはバイパス流路を開放する位置にまで可動部材を付勢するように機能することが可能である。好ましい実施例では、ポンプは、かかる弾性部材を備える。この弾性部材は、可動部材を移動させることにより、電気モーターが励磁されていないときにバイパス流路を開放するように配置されている。弾性部材をポンプに配置することは有利である。というのも、これによってポンプに必要な変更が最小で済むためである。あるいは、弾性部材を、モーター内の任意の好適な位置に、例えば、モーターハウジングの中、またはモーターシャフトの中／表面に配置してもよい。ポンプから離して弾性部材を配置することは有利となり得る。というのも、バイパス流路に直接的な影響を及ぼさないように弾性部材を配置することが可能となるためである。例えば、ポンプ内の弾性部材により、バイパス流路が開放されているときでもバイパス流路を少なくとも部分的に遮断させるようにしてもよい。この構成は、いくつかの事例では不利となり得るが、かかる構成をバイパス流路の設計に取り入れることが可能になる場合がある。かかる弾性部材により、バイパス流路を開放するように可動部材を移動させやすくする弾性付勢が付与され得る。例えば、この弾性付勢は、ばね装置によって付与されてもよい。電気モーターが励磁されているときには、この弾性付勢に打ち勝つことができる。複数の弾性部材を使用することは有利となり得ることが理解される。というのも、これにより、たとえ１つの弾性部材が故障したとしても、ＥＨＡは、依然として減衰モードに入ることが確実に可能となるためである。これは特に、停電時に減衰モードが開始される場合に重要である。
【００１７】
バイパス流路に沿ってポンプを通る作動流体の速度により、油圧アクチュエータに対する減衰効果を決定できることが理解されよう。ポンプの外部のソレノイドバルブを使用して減衰モードを提供する従来の構成では、減衰率は、バルブの流れ抵抗によって設定される絶対値である。かかるバルブを作動させることは、単に減衰率を有効／無効にすることである。本開示の実施例では、これに対して、ポンプを通るバイパス流路は、所望の減衰率を作動流体に与えるように調節可能となり得る。例えば、現場でバイパス流路を開放する度合いを調節することにより、バイパス流路を動的に調節することが可能となり得る。
【００１８】
好ましくは、バイパス流路の大きさを、ポンプの製造、設置及び／または使用中に、例えば、バイパス流路の断面を調節することによって調節して、所望の減衰率を油圧アクチュエータに与えることができる。いくつかの実施例では、可動部材の大きさを、例えば、製造及び／または設置中に選択または変更することにより、上記調節を実現してもよい。あるいは、または加えて、可動部材の移動の自由度を選択または変更することにより、上記調節を実現してもよい。上記では、ＥＨＡの使用中に調節を適宜実施することができる。好ましい一連の実施例では、減衰モード中に可動部材がバイパス流路にまで延びる距離を調節することができる。さらに好ましい一連の実施例では、可動部材が減衰モード時にバイパス流路にまで延びる距離は、可動部材の移動を制限するように機能する位置制限ピンによって設定される。従って、モーターは、可動部材が移動してバイパス流路を開放するときに当該可動部材の位置を制限するように配置されたピンを備え得る。少なくともいくつかの実施例では、かかるピンは、可動部材の軸方向位置を制限するように配置され得る。
【００１９】
さらに好ましい一連の実施例では、かかる位置制限ピンは調節可能である。例えば、このピンは、ねじ付きピンによって提供され得る。調節可能な位置制限ピンは、ＥＨＡの製造及び設置の後でもバイパス流路を動的に調節することが可能である。位置制限ピンの調節は、油圧アクチュエータの特定利用に向けた所望の減衰率に応じて減衰率を修正するために行われてもよい。例えば、航空機における操縦フラップなどの空気力学的表面に油圧アクチュエータが作用するものとする実施例では、ポンプを通るバイパス流路に沿って作動流体が通ることができるように減衰率を選択してもよく、その結果、モーターが故障した場合でも当該表面の移動が減衰される。バイパス流路の大きさを調節することにより、特定用途に合わせて減衰率を調整することができる。なお、減衰動作モードでは作動流体がポンプによって加圧されておらず、付勢されてもいないため、バイパス経路に沿った流れは、油圧アクチュエータの移動のみによって引き起こされることに留意されたい。
【００２０】
安全機能として、ＥＨＡが減衰モードに正常に入ったかどうか、または減衰モードが利用可能かどうかを検出することが望ましい場合がある。例えば、（例えば、ポンプのバイパス流路に障害物があるか、または軸方向の可動部材が故障したために）減衰動作モードが利用できないと検出された場合には警告を発してもよい。この警告により、ＥＨＡに実施すべき保守を求めることができ、あるいは緊急状態を発生させることができる。少なくともいくつかの実施例では、ＥＨＡは、バイパス流路がポンプの入口と出口の間に開いているかどうかを検出するように配置されたセンサを備えることが好ましい。かかるセンサは、例えば、作動流体の液圧及びアクチュエータの速度を測定することによってバイパス流路が開いているかどうかを直接検出するように配置され得る。しかしながら、センサにとっては、例えば、ポンプまたはモーターの特性を測定することにより、バイパス流路が開いているかどうかを間接的に検出する方がより容易となり得る。可動部材がバイパス流路を開放／閉塞するように作動するとき、センサは、可動部材の移動を検出して、バイパス流路が開いているかどうかを判定し得る。好ましい一連の実施例では、可動部材の位置を検出するように線形変換器が配置される。好ましい一連の実施例では、この線形変換器がモーター内に配置される。
【００２１】
ＥＨＡの各用途での使用に適している様々な種類の回転ポンプがある。これらのポンプには、それぞれに関連した長所と短所がある。各種の好適なポンプは、ロータリピストン、斜軸、ラジアルピストン及びギヤポンプを備え得る。以下、油圧ポンプが回転ピストンポンプである好ましい一連の実施例について説明する。回転ピストンポンプは、好ましくは、モーターシャフトによって回転するように駆動されるポンプバレル、及び往復運動するピストンを受けるように配置されたポンプバレル内の複数の軸流シリンダを備える。かかるポンプでは、その入口が、ポンプバレルの一方の半部に設けられた軸流シリンダと流体連通しており、その出口が、ポンプバレルの他方の半部に設けられた軸流シリンダと流体連通している。
【００２２】
一連の実施例では、回転ピストンポンプは、角度付きのカム面（例えば、斜板）を備える軸流ピストンポンプである。このカム面は、モーターシャフトに対して固定されていて、バレルが回転するにつれてピストンを軸流シリンダ内で徐々に往復運動させる。ポンプが電気モーターによって駆動されると、作動流体は、ポンプバレルの片側に対するピストンストロークによって入口から吸入され、ポンプバレルの反対側に対するピストンストロークによって出口から押し出される。本開示によれば、ポンプは、バイパス流路をさらに備える。このバイパス流路により、ポンプがアイドル状態のとき、すなわちモーターによってポンプが駆動されておらず、従って、ピストンが軸流シリンダ内で往復運動しないときに、入口と出口の間で作動流体がポンプを通過することが可能になる。モーターによってポンプが駆動されていないとき、すなわちモーターが励磁されていないときには、可動部材が移動してポンプ内のバイパス流路を開放する。
【００２３】
好ましくは、バイパス流路は、ポンプバレルの一方の半部に設けられた軸流シリンダに接続された入口とポンプバレルの他方の半部に設けられた軸流シリンダに接続された出口との間で（あるいは、これとは逆に接続された入口と出口の間で）、モーターシャフトを貫通するかまたはモーターシャフトの周囲を通るように配置されている。モーターシャフトを貫通する、またはモーターシャフトの周囲のバイパス流路は、ポンプバレル内の軸流シリンダに接続されてもよいが、作動流体は、これらのシリンダに沿って軸方向に通る必要がない、すなわち、バイパス流路は、ピストンに面していない。この構成は、通常のピストンポンプと完全に異なることが理解されよう。通常のピストンポンプでは、（所定の回転方向に対して）ピストンがモーターによって駆動されているときにのみ流体が入口と出口の間でポンプバレル内のシリンダを通過することができる。
【００２４】
好ましい一連の実施例では、バイパス流路は、１つまたは複数の接続ポートをポンプバレル内に備える。この接続ポートにより、減衰動作モード時に、ポンプバレルの一方の半部に設けられた軸流シリンダに接続された入口とポンプバレルの他方の半部に設けられた軸流シリンダに接続された出口との間に直接的な流体経路が提供される。好ましくは、可動部材は、能動動作モード時に接続ポートを通る流体の流れを閉塞する位置となるように、モーターシャフト内に配置される。例えば、可動部材の移動によって閉塞されるかまたは閉塞が解除されるようにするため、接続ポートが径方向内向きに向かって、モーターシャフトに整列されている中央チャンバにまで至るようにしてもよい。１つまたは複数の接続ポートは、ポンプバレル内の各軸流シリンダと流体連通している接続ポートをポンプバレル内に含み得る。換言すれば、ポンプバレルは、複数の接続ポート、及び各軸流シリンダ用の少なくとも１つの接続ポートを備え得る。接続ポートは、ポンプバレル内の各軸流シリンダとバレルの中心部との間を通る略放射状のポートであってもよい。本開示によれば、能動モードでは、接続ポートを閉塞するように可動部材が配置される。その結果、流体は、往復運動するピストンにより、入口から入って出口から出るように進むことのみが可能である。減衰モードでは、接続ポートを開放するように、従って、バイパス流路を開放するように可動部材が配置される。
【００２５】
本開示の様々な実施例では、油圧アクチュエータ（例えば、シリンダ内で往復運動するピストン）を、航空機の構成要素（例えば、翼上の操縦フラップなどの空気力学的表面）に変位を生じさせるように配置してもよい。油圧アクチュエータは、シリンダ及び／または回転アクチュエータ内で軸方向に移動するラムを備える線形アクチュエータの形態をとってもよい。
【００２６】
本開示の別の態様によれば、油圧アクチュエータの制御・減衰方法が提供される。この油圧アクチュエータの制御・減衰方法は、能動動作モード時に、油圧アクチュエータに作動流体を供給するために電気モーターを励磁して油圧ポンプを駆動すること；及び減衰動作モード時に、油圧ポンプが電気モーターによって駆動されていないときに油圧ポンプを通るバイパス流路を開放するように、電気モーター内に配置された可動部材の移動を制御すること、を含む。油圧マニホールド内の別のソレノイドモードバルブを制御する代わりに、モーター内部での可動部材の移動を制御して減衰に影響を与えるようにする。この制御をモーターの制御に適宜組み込んでもよい。
【００２７】
モーター内部に配置された可動部材は、例えば、軸方向に移動するように配置され得る。かかる実施例では、可動部材の軸方向の移動を制御してバイパス流路を開放することが好ましい。
【００２８】
一連の実施例では、可動部材の移動を制御することは、可動部材を磁化するように配置された１つまたは複数の追加コイルを励磁することを含む。これらの追加コイルは、通常のモーターコイルと電気的に並列または直列に接続され得る。１つまたは複数の追加コイルには、それ自体の電源を設けてもよく、あるいは１つまたは複数の追加コイルは、モーターの主コイルと電源を共有してもよい。
【００２９】
一連の実施例では、上記方法は、油圧ポンプの使用中、所望の減衰率を油圧アクチュエータに与えるようにバイパス流路の大きさを調節することをさらに含む。バイパス流路の大きさを調節することは、可動部材が移動してバイパス流路を開放するときに可動部材の位置を制限するように配置されているピンを調節することを含み得る。これについては、前述の部分でより詳細に説明されている。
【００３０】
別のより広い態様から見ると、本開示は、電気静油圧アクチュエータ（ＥＨＡ）を提供する。この電気静油圧アクチュエータは、電気モーターによって駆動されて作動流体を油圧アクチュエータに供給する油圧ポンプと；作動流体の入口及び出口、並びに入口と出口の間に配置された能動的な流路を備える油圧ポンプであって、油圧ポンプが電気モーターによって駆動されている能動動作モード時に、作動流体が能動的に入口から吸入され、出口から吐出されるようにする油圧ポンプと；入口と出口の間で開放されるように配置されたバイパス流路をさらに備える油圧ポンプであって、油圧ポンプが電気モーターによって駆動されていない減衰動作モード時に、作動流体が入口と出口の間のバイパス流路に沿って油圧ポンプを通過することを可能にする油圧ポンプと、を備える。さらに別のより広い態様から見ると、本開示は、油圧アクチュエータの制御・減衰方法を提供する。この油圧アクチュエータの制御・減衰方法は、能動動作モード時に、油圧アクチュエータに作動流体を供給するために電気モーターに電力を供給して油圧ポンプを駆動すること、及び減衰動作モード時に、電気モーターによって油圧ポンプが駆動されていないときに油圧ポンプを通るバイパス流路を開放すること、を含む。バイパス流路は、前述の部分で説明したように配置され得る。特に、バイパス流路は、モーター内部に配置された可動部材を移動させることにより、閉塞され、または閉塞が解除され得る、あるいは、開放され、または閉鎖され得る。本開示のこれまでの態様に関して記載された任意の特徴は、これらのより広い態様にも同様に当てはまる。
【００３１】
以下、１つ以上の非限定的な実施例について、添付図面を参照して説明する。
【図面の簡単な説明】
【００３２】
【図１】従来技術に係る能動モード時のＥＨＡの流体フロー図である。
【図２】従来技術に係る減衰モード時のＥＨＡの流体フロー図である。
【図３】典型的な回転ピストンポンプを示す図である。
【図４】典型的な回転ピストンポンプのポートプレートを示す図である。
【図５】本開示に係る能動モード時のＥＨＡの流体フロー図である。
【図６】本開示に係る減衰モード時のＥＨＡの流体フロー図である。
【図７】本開示に従ってバイパス流体流路を閉塞した状態のポンプの一実施例を示す図である。
【図８】バイパス流体流路が開いている状態の図７のポンプを示す図である。
【図９】本開示に従ってバイパス流体流路を閉塞した状態の能動モード時のポンプの破断図である。
【図１０】減衰モード時の図９のポンプを見た図である。
【発明を実施するための形態】
【００３３】
図１及び２は、従来技術に係る電気静油圧アクチュエータ（ＥＨＡ）２の流体フロー図である。図１には、可逆式電気モーター４、油圧ポンプ６、モードバルブ８、アキュムレータ１０及び油圧アクチュエータ１２が示されている。図１に示した油圧アクチュエータ１２は、２つの分離したチャンバ１４、１６及びアクチュエータラム１８からなる。モードバルブ８は、ソレノイド２０によって作動させることができ、典型的にはオンまたはオフである２つの動作モードを有する。ラム１８は、通常、空気力学的表面などの航空機の構成要素に接続される。ＥＨＡは、通常、２つの動作モードを有する。すなわち、電気的能動モード（ＥＡＭ）及び減衰モードである。図１は、ＥＡＭ時のＥＨＡを示している。ＥＡＭ中、モーター４は、ポンプ６を駆動するように機能する。この駆動は、ポンプ６が可逆式であるため、両方向とすることができる。ポンプ６が駆動されると、図１の太線及び矢印で示すように、作動流体が回路に沿って流れる。この結果、流体は、油圧アクチュエータ１２のチャンバ１４、１６の一方に導かれる。流体がチャンバ１４、１６の一方に入り、他方のチャンバ１４、１６から出ると、これによってラム１８がチャンバ１４、１６の中で動き、それにより、ラム１８に接続されている空気力学的表面が移動するようになる。
【００３４】
図２は、減衰モード時のＥＨＡ２の流体フロー図である。減衰モードは、停電または電子制御パスの障害が発生している状況において開始することができる。ソレノイド２０は、システム内の流体の流れを変えるモードバルブ８を作動させることができる。減衰モードでは、ラム１８に減衰効果が生じる。このことは、例えば、航空機において使用中のときには、ＥＨＡのある特定の用途にとって重要となり得る。減衰モードは、ラム１８を連動させる必要のないとき、すなわち、ポンプ６がモーター４によって駆動されていないときのデフォルトモードでもある。減衰モードの目的は、空気力学的表面に接続され得るラム１８に減衰力を与えることである。これにより、外部からの空気力学的な力が当該表面に加わったときに制御不能な動作が回避される。減衰モードでは、流体は、油圧アクチュエータ１２の一方のチャンバ１４、１６と他方のチャンバ１４、１６との間をモードバルブ８を通じて自由に流れる。２つのチャンバ１４、１６の間で流体が自由に流れることにより、ラム１８の動きを減衰させる。減衰モード中、流体は、ポンプ６を完全にバイパスし、モードバルブ８を通じて移動するのみである。ラム１８に対する減衰効果は、モードバルブ８によって決まる。
【００３５】
モーターシャフト２４によって作動される典型的な回転ピストンポンプ２２を図３に示す。モーターシャフト２４は、モーターシャフトの周囲のスプライン（図示せず）と、ポンプバレル２６の内面の、これに対応するスプライン（図示せず）とが結合することによってポンプバレル２６を駆動する。これらのスプラインは、通常一対一で対応しているため、モーターシャフト２４とポンプバレル２６との間の相対回転が最小となっている。モーターシャフト２４の後端部の内歯スプライン２８により、モーターシャフト２４とモーター自体の間の結合が得られる（図示せず）。ポンプ２２は、ポンプバレル２６で構成されており、ポンプバレル２６は、これを通って延在する軸流シリンダ３０を備える。各軸流シリンダ３０の間の間隔は、ポンプバレル２６の中心に対して等角である。ピストン３２は、軸流シリンダ３０内にあり、軸流シリンダ３０内で自由に往復運動する。ピストン３２は、カムプレート３８によって導かれる回転プレート３６に対し、シュー３４によって連結される。カムプレート３８は、ある角度に方向付けられており、それによって、常に、片側ではピストン３２が軸流シリンダ３０に完全に挿入され、反対側ではピストン３２が軸流シリンダ３０から引き出されるようになっている。
【００３６】
ポンプ２２が通常に動作している間、モーターシャフト２８は、モーターによって駆動され、ポンプバレル２６を駆動してこれを回転させる。ポンプバレル２６が回転すると、ピストン３２が軸流シリンダ３０内で往復運動して、流体がポンプバレル２６に片側で吸入され、バレル２６の反対側に吐出される。カムプレート３８は固定角で図示されているが、ポンプから移送中である流体の量の制御を調節可能としてもよい。
【００３７】
図４は、ポンプ２２の下側を見た図であり、詳しくは、ポンプバレル２６の基部に取り付けられているポートプレート４０を示している。ポートプレート４０には、ポンプバレル２６の軸流シリンダ３０へのアクセスを提供する２つのポート４２がある。２つのポート４２は、半円形であり、ポンプバレル２６内のシリンダ３０の周方向の配置と同様の弧に沿って設けられている。２つのポート４２を両者の間に間隔を置いて設けた目的は、ポンプの吐出側から流体が吸入されるのを妨ぐためである。２つのポート４２の間の間隙は、カムプレート３８上の勾配が正の勾配から負の勾配に、または負の勾配から正の勾配に変化する箇所に効果的に対応する。一方のポート４２ａはポンプ２２への入口として機能するのに対し、他方のポート４２ｂは出口として機能する。逆もまた同様である。
【００３８】
本開示に係る例示的な流体フロー図を図５及び６に示す。ポンプとは別のモードバルブを備えることによって減衰モードを実現するのではなく、ここでは、ポンプ１０６の中に内部的に組み込まれたバイパス流路１２３によって減衰モードが提供される。ポンプ１０６に動作可能に接続されているモーター１０４を図５に示す。ポンプ１０６の中には、バイパス流路１２３が組み込まれている。モーター１０４内の可動部材は、例えば、軸方向の可動部材であり、バイパス流体流路１２３を閉塞するように機能する。可動部材については、後の図面を参照して説明する。バイパス流路１２３は、ばね１２５によって開放される。通常動作中のポンプを図５に示す。能動モード中、モーター１０４が回転してポンプ１０６を作動させ、それによって流体が回路１０２に沿ってポンプ１０６を通じて運ばれる。モーター１０４は、バイパス流体流路１２３を物理的に閉塞するようにも機能する。太線及びこれに対応する矢印で示された流体経路を経由し、油圧アクチュエータ１１２のチャンバ１１４、１１６の間で流体を運ぶことができる。ラム１８に接続された線形変換器１４４も図示されている。線形変換器１４は、ラム１８が使用中であるときを示すためのものである。別の線形変換器１４６もモーター１０４に接続されている。線形変換器１４６は、モーター内の構成要素によってバイパス流体流路１２３が閉塞されている／閉塞が解除されているときを示すためのものである。
【００３９】
減衰モードで作動しているポンプ１０６を図６に示す。減衰モードでは、モーター１０４は、もはや励磁されておらず、従ってポンプ１０６をもはや駆動していない。この減衰モードでは、ばね１２５が、バイパス流体流路を閉塞するモーター１０４の可動部材を移動させるように機能する。これにより、可動部材がバイパス流体流路１２３をもはや閉塞しないようにする。この減衰モードでは、油圧アクチュエータの各チャンバ１１４、１１６内の流体は、ポンプ１０６を通るバイパス流路１２３に沿って他のチャンバ１１４、１１６にまで自由に流れる。これは、典型的なピストンポンプでは不可能である。というのも、ポンプ１０６の一方の側のシリンダから他の側のシリンダに流体を移す手段がないためである。これは、本開示によって可能となり、以下の図面から理解することができる。
【００４０】
本開示の実施例に係る、モーター１０４、ポンプ１０６及び油圧アクチュエータ１１２を備えるＥＨＡ１０２を図７及び８に示す。ＥＨＡ１０２は、図３に示したポンプ２２と類似のポンプ１０６を備える。しかしながら、ＥＨＡ１０２は、一部品のモーターシャフト１２４を利用する（すなわち、結合用スプライン２８がない）。図７は、能動モード時のＥＨＡ１０２を示している。能動モードでは、ポンプ１０６は、モーターシャフト１２４によって回転するように駆動される。ポンプバレル１２６を駆動するために、モーターシャフト１２４は、モーター１０４からカムプレート１３８を通って通過する。モーターシャフト１２４は、通常、モーターシャフト１２４の周囲に設けられた一連のスプライン１６４（図９及び１０に示す）、及びこれに対応する、ポンプバレル１２６の内部領域に設けられた一連のスプラインによってポンプバレル１２６を駆動する。モーターシャフト１２４は中空芯を備えており、これを通じて軸棒１４８が通される。軸棒１４８は、その下端に、ポンプ１０６に近接した下側ディスク形状部１５０を備える。ポンプバレル１２６内の軸流シリンダ１３０は、ポンプバレル１２６内の中央内部空洞に向かって通じる放射状の接続ポート１５２を備える。これらの接続ポート１５２は、これらが開いているときにバイパス流路を形成する。ばね１２５は、ポンプバレル１２６の中心部に設けられた凹部に配置される。ディスク形状部１５０は、ばね１２５と接触しており、中央空洞及び接続ポート１５２を閉塞するように機能する。軸棒１４８は、バイパス流路用のバルブとして効果的に機能する。これにより、能動モードでは、入口／出口を使って流体が軸流シリンダ１３０に入り、軸流シリンダ１３０から出ることのみが確実に可能となる。能動モードでは、流体が、ラム１１８を移動させる油圧アクチュエータ１１２の各チャンバ１１４、１１６へとポンプ１０６によって運ばれる。
【００４１】
図７は、モーター１０４の主要構成要素も示している。モーター１０４は、典型的なモーターと同様に作動し、３つの標準的な駆動コイル１５６及び永久磁石を利用して、モーターシャフト１２４を駆動する。通常、モーターは、ブラシレス交流モーターである。このモーターは、角度センサ及び制御電子回路を使用して電流を適切なコイルに切り替える。能動モードでは、電流がコイル１５６を流れ、永久磁石によって存在する磁場の中でコイル１５６に電流が存在するため、コイル／永久磁石に力が生じ、従って回転する。この回転によってモーターシャフト１２４が駆動され、回転する。軸棒１４８は、モーターシャフト１２４を通ってモーター１０４の主ハウジングにまで延在する。軸棒１４８は、モーター１０４内に収納された、さらなる３つの強磁性ディスク形状部１５４も備える。
【００４２】
３つの駆動コイル１５６と直列になっているのは、さらなる３つの「バルブ」コイル１５８である。３つのバルブコイル１５８は、モーター１０４のハウジングを囲んで環状に通っている。３つのバルブコイル１５８は、それぞれ隔てられており、軸棒１４８のディスク形状部１５４に近接してモーター１０４に配置されている。シャフト１２４の中には、３つの強磁性リング１６０がある。これらの環状強磁性リング１６０は、軸棒１４８を囲んで環状に通り、かつ所定位置に固定されており、各強磁性リング１６０は、軸棒１４８の対応する強磁性ディスク１５４に近接して配置されている。電流がバルブコイル１５８を流れると、電磁石が生成されて、軸棒１４８の強磁性ディスク形状部１５４に磁極を形成させる。３つの強磁性ディスク形状部１５４のそれぞれは、その後、それぞれに対応する強磁性リング１６０に引き寄せられる。これにより、各強磁性ディスク部１５４が対応する強磁性リング１６０に対して保持された状態の位置に棒１４８が保持される。強磁性リング１６０に対して保持されている強磁性ディスク１５４は、図７に示した拡大図から理解することができる。バルブコイル１５８は、モーターコイル１５６と直列に配線されており、モーターコイル１５６が励磁されたときにバルブコイル１５８が励磁されるようになっている。軸棒１４８は、モーター１０４が励磁されているとき、すなわちＥＨＡが能動モードであるときには、この固定位置に保持される。
【００４３】
モーターによって作られた電磁石によって軸棒１４８が所定位置に保持されているとき、この位置は、接続ポート１５２を閉塞する位置に下側ディスク形状部１５０が押し込まれる「下側」位置である。この下側位置では、電磁石によって与えられた力が、ばね１２５によって与えられた弾性力に打ち勝つ必要がある。接続ポート１５２を閉塞している下側ディスク１５０は、ディスク部１５０の拡大図から理解することもできる。能動モードでは、ばね１２５の復元力が軸棒１４８を上方に押そうとする。しかしながら、軸棒１４８を所定位置に保持する、モーター内に作られた電磁石の強さにより、軸棒１４８は、軸方向に移動することができない。図７に示した実施例のＥＨＡでは、能動モード時に、軸棒１４８がモーターシャフト１２４と共に回転する。しかしながら、いくつかの実施例では、軸棒１４８は、モーターシャフト１２４と共に回転しなくてもよく、むしろ、回転自在に固定されたままでもよいことが理解される。
【００４４】
図７には、減衰調節ピン１６２も示されている。このピン１６２を用いて、油圧アクチュエータ１１２が受ける減衰量を制御することができる。ピン１６２により、軸棒１４８が移動してピン１６２と接触した時点で軸棒１４８がさらに移動しないようにする制限位置が提供される。これについては、図８に関してさらに詳しく説明する。
【００４５】
減衰モード時のＥＨＡ１０２を図８に示す。このモードでは、モーターシャフト１２４はモーター１０４によって駆動されていない（すなわち、モーター１０４は励磁されていない）。この場合、駆動コイル１５６及びバルブコイル１５８は共に励磁されていないため、モーターシャフト１２４は回転せず、強磁性ディスク形状部１５４は電磁石に変わらない。このモードでは、ポンプ１０６内のバイパス流路が開いており、その結果、流体は、油圧アクチュエータ１１２のチャンバ１１４、１１６の間を通じて自由に流れることができる。この減衰モードでは、ばね１２５は、ディスク１５０を押し上げるように機能して、軸棒１４８を上方に移動させる。これにより、強磁性ディスク形状部１５４が強磁性リング１６０から離れるように移動する。これは、本図にも示した拡大図から理解することができる。下側ディスク１５０及び軸棒１４８がこのように上方へと移動することにより、バイパス流体流路が開放される。図上の矢印は、ポンプバレル１２６内の各軸流シリンダ１３０の間で流体が自由に流れることを示している。これにより、チャンバ１１４、１１６の間で流体を流すことができる。図示した実施例では、ばね１２５は、ある程度伸びてバイパス流路に達する。このことは減衰率に影響を与える場合があるため、他の実施例では、バイパス流路に影響を与えないようなばねの配置が可能となり得ることが理解される。
【００４６】
図８は、軸棒１４８が移動して位置制限ピン１６２と接触する仕方も示している。ばね１２５が軸棒１４８を上方に押すように機能するとき、一番上の強磁性ディスク部１５４は、位置制限ピン１６２に対して当接する。この位置制限ピンは、軸棒１４８が軸方向にそれ以上移動しないようにするものであり、従って、バイパス流路を開放するためにどれだけ遠くまで下側ディスク１５０が移動することが可能であるかに対して影響を及ぼす。下側ディスク１５０のより広い部分でバイパス流路を部分的に遮断したままにさせることによって減衰率を調整することが可能であり、従って減衰率が大きくなることが理解される。図示した実施例では、位置制限ピン１６２を調節して、減衰率を調整することができる。ピン１２は、ねじ付きであってもよく、あるいは当該位置に制御するためのその他の適切な手段を用いて提供されてもよい。調節可能な位置制限ピン１６２を用いることは特に有利である。というのも、減衰の度合いを製造後に調節することが可能となるためである。これは、様々なレベルの減衰を必要とする種々の用途の構成要素にＥＨＡが使われる場合には特に有用となり得る。
【００４７】
本開示に係るポンプ１０６の破断図を図９に示す。モーターシャフト１２４は、ポンプバレル１２６を駆動するように機能する複数の突起１６４を備える。この図は、能動モード時のポンプ１０６を示している。このモードでは、接続ポート１５２が閉塞されるように棒１４８の基部の下側ディスク部１５０が配置されていることが分かる。ばね１２５は、ポンプバレル１２６の中心部に配置されていることが分かる。能動モードでは、ばね１２５は、軸棒によって圧縮されるため、軸棒１４８を上方に付勢するように機能する。この能動モードでは、モーターシャフト１２４は、ポンプバレル１２６を駆動して回転させる。これにより、ピストン１３２がシリンダ１３０内で往復運動し、引き続いて流体が入口１６６から吸入され、出口１６６から吐出される。
【００４８】
本開示に係る減衰モード時のポンプ１０６の破断図を図１０に示す。このモードでは、モーター１０４はもはや、励磁されておらず、駆動シャフト１２４及びモーター１０４の中で軸棒１４８を軸方向に移動させることができない。減衰モードでは、ばね１２５は、下側ディスク１５０を上方に押すことが可能であり、従ってバイパス流体流路を開放する。一旦下側ディスク１５０が移動して接続ポート１５２を開放すると、流体は、ポンプ１０６内に入り、シリンダ１３０への入口を通り、接続ポート１５２を通過し、異なるシリンダ１３０の出口から出ることが可能となる。これにより、ポンプ１０６を減衰モードで作動させることができる。
【００４９】
いくつかの実施例では、特に、軸棒１４８がモーターシャフト１２４と共に回転することが可能である実施例では、下側ディスク１５０、モーターシャフト１２４及び接続ポート１５２の間のクリアランスを、バイパス流体流路によるリークの程度が能動モード時に減少するように設計する必要があることが理解される。あるいは、バイパス流路によるリークを防止するために組み込み可能な様々な別の特徴が有り得る。例えば、ゴムＯリングを設けてバイパス流体流路を密封してもよい。
【００５０】
図示した実施例では、減衰モード時に、軸棒１４８は、ポンプバレル１２６内に配置されたばね１２５によってバイパス流体流路を強制的に開放する。１つのばね１２５が図示されているが、ばねを複数にしても同一の結果が得られることが理解される。軸棒１２６を移動させるための手段を必ずしもポンプバレル１２６内に配置しなくてもよいことも理解される。例えば、モーターシャフト１２４に沿った何処にでもばねを配置することが可能であり、当該ばねは、軸棒１４８を強制的に上方に移動させるために軸棒１４８のつまみに対して作用する。さらに、軸棒を移動させるためにばね１２５を図示しているが、その他の適切な手段（例えば、一連の磁石）を用いることができ、あるいは別の弾性材料を使用できることが理解される。
【００５１】
図示した実施例では、３つのバルブコイル１５８を用いて、軸棒１４８を固定位置に保持する。他の配置または異なる数のコイルを用いて同一の結果を実現できることが理解される。軸棒１４８を異なる位置に保持するために、コイルの位置取りを変えることができる。さらに、本実施例では、モーターコイル１５６と直列であるようにバルブコイル１５８を図示したが、この構成を必須としなくてもよく、例えば、コイルを並列に配置してもよいことが理解される。さらに、図示した本実施例ではバルブコイルがモーターコイル１５６に接続されているが、バルブコイルは、これら自体の電子制御を備えた別の回路の一部であってもよいことが理解される。
【００５２】
上記で開示した実施例は、回転ピストンポンプに関する。ただし、その代わりに他の種類のポンプを用いてもよいことが理解されよう。さらに、図示した実施例ではカムプレートの角度が固定されているが、カムプレートの角度を変えることにより、ポンプによって吸入され、吐出される流体の量が変化するため、例えば、ポンプの用途に応じて流体の流量を修正するために、かかる角度を調節可能としてもよいことが理解される。
【００５３】
図示した実施例では、軸方向の可動部材１４８が、モーターシャフト１２４に設けられている。しかしながら、その他の適切な部材（例えば、バイパス流路を開放するために回転可能である部材）を設けてもよいことが理解される。例えば、ある角度方向で部材がバイパス流路を閉塞してもよく、別の角度方向で当該部材がバイパス流路を開いてもよい。
【図１】
0006721424.tif 000002
【図２】
0006721424.tif 000003
【図３】
0006721424.tif 000004
【図４】
0006721424.tif 000005
【図５】
0006721424.tif 000006
【図６】
0006721424.tif 000007
【図７】
0006721424.tif 000008
【図８】
0006721424.tif 000009
【図９】
0006721424.tif 000010
【図１０】
0006721424.tif 000011